(57)【特許請求の範囲】
【請求項１】
ギャップパラメータ構成情報を受信する受信手段と、
前記ギャップパラメータ構成情報を用いて、最大許容可能ギャップ長からギャップオフセットを減算して目標ギャップ長を生成し、新たなギャップオフセットを取得した場合、目標ギャップ長を再度生成する目標ギャップ長生成手段と、
生成された前記目標ギャップ長に基づいて、メジャメントを行うメジャメント手段と、
を具備する無線通信端末装置。
【請求項２】
目標ギャップ長生成手段は、無線通信基地局装置から送信された無線品質を報告する応答信号数と所定の閾値との閾値判定結果に基づいて、ギャップオフセットを修正し、修正したギャップオフセットを用いて前記目標ギャップ長を生成する請求項１に記載の無線通信端末装置。
【請求項３】
目標ギャップ長生成手段は、サービングセルのトラフィック量を示すトラフィック負荷情報に基づいて、ギャップオフセットを決定し、決定したギャップオフセットに基づいて、前記目標ギャップ長を生成する請求項１に記載の無線通信端末装置。
【請求項４】
自装置の移動速度を測定する移動速度測定手段と、
測定された前記移動速度が速いほど応答信号の送信頻度を多くし、前記移動速度が遅いほど応答信号の送信頻度を少なくして応答信号を送信する応答信号送信手段と、
を具備する請求項１に記載の無線通信端末装置。
【請求項５】
無線通信端末装置のメジャメント要件に基づいて割り当てられた最大許容可能ギャップ長及びギャップオフセットを用いて、最小ギャップ長を算出する最小ギャップ長算出手段と、
前記無線通信端末装置から送信された応答信号数と所定の閾値との閾値判定結果に基づいて、ギャップオフセットを生成するギャップオフセット生成手段と、
前記最小ギャップ長及び前記ギャップオフセットを送信する送信手段と、
を具備する無線通信基地局装置。
【請求項６】
最小ギャップ長と最大許容可能ギャップ長とにそれぞれ異なるメジャメント設定情報を割り当てる最小・最大許容可能ギャップ長決定手段を具備する請求項５に記載の無線通信基地局装置。
【請求項７】
無線通信端末装置に割り当てられている無線リソースであって、前記無線通信端末装置に割り当てられたギャップと重複する無線リソースを他の無線通信端末装置にスケジューリングするリソーススケジューリング手段を具備する請求項５に記載の無線通信基地局装置。
【請求項８】
前記ギャップオフセット生成手段は、無線通信端末装置からメジャメントレポートを取得した場合には、長いギャップオフセットを生成し、前記メジャメントレポートを取得していない場合には、短いギャップオフセットを生成する請求項５に記載の無線通信基地局装置。
【請求項９】
ギャップパラメータ構成情報を受信する受信工程と、
前記ギャップパラメータ構成情報を用いて、最大許容可能ギャップ長からギャップオフセットを減算して目標ギャップ長を生成する目標ギャップ長生成工程と、
新たなギャップオフセットを取得した場合、目標ギャップ長を再度生成する目標ギャップ長再生成工程と、
生成又は再生成された前記目標ギャップ長に基づいて、ギャップパターンを生成するギャップパターン生成工程と、
を具備するギャップ生成方法。
【発明の詳細な説明】
【技術分野】
【０００１】
本発明は、ギャップ割り当てを行う無線通信基地局装置、無線通信端末装置及びギャップ生成方法に関する。
【背景技術】
【０００２】
ＵＭＴＳ（Universal Mobile Telecommunication System）に代表されるセルラ通信システムにおいて、端末はインター周波数メジャメント及びインターＲＡＴメジャメントを行う必要がある。端末は、インター周波数メジャメントを実行するために異なる搬送波を受信できるよう、または、インターＲＡＴメジャメントを実行するために異なるＲＡＴの別のセルから信号を受信できるよう、ソースセルの周波数から隣接セルの別の周波数あるいは別のＲＡＴに受信器をチューニングする必要がある。
【０００３】
端末がインター周波数またはインターＲＡＴに対してメジャメントを実行するためには、サービング基地局がデータを送信しないアイドル期間を端末に設けなくてはならない。ただし、サービング基地局と端末との間で同期がとれている必要がある。
【０００４】
ＵＭＴＳでは、端末がインター周波数メジャメントまたはインターＲＡＴメジャメントを実行するため、圧縮モードが用意されている。圧縮モードは、ギャップとも呼ばれるアイドル期間が設けられ、ギャップ中にインター周波数メジャメントまたはインターＲＡＴメジャメントが実行されるようサービング基地局から端末に設定される。同様にして、ダウンリンク、あるいは、同時にダウンリンク及びアップリンクの両方が圧縮モードを実行してもよい。
【０００５】
また、ＵＭＴＳでは、インター周波数メジャメント及びインターＲＡＴメジャメントに対して設けるギャップの単位として送信スロットが用いられている。圧縮モードにおいては、いくつかの周期的なギャップによって形成されるギャップパターンシーケンスが用いられる。
【０００６】
また、ＵＭＴＳでは、Ｗ−ＣＤＭＡが採用されており、圧縮モード時に、送信フレームを減少させるために拡散係数を減少させている。ここで、非圧縮モードの送信フレームと同じデータレートを圧縮モードの送信フレームにおいて維持するためには、ギャップパターンシーケンスにおける非ギャップタイムスロットでのデータ送信に対して送信電力を増加させる必要がある。
【０００７】
ところで、ＬＴＥ（Long Term Evolution）通信システムでは、ＵＭＴＳのような圧縮モードは用意されていない。また、ＵＭＴＳのような専用チャネルの代わりに、共有チャネルが用いられる。つまり、データの送受信を行うチャネルを全てのユーザ間で共有する。よって、ＬＴＥでは、共有チャネルを用いることにより、スケジューラエンティティは、各ユーザの要求条件に基づいて無線リソースを異なるユーザ間に割り当てる必要がある。
【０００８】
スケジューラ機構は、ＭＡＣ層で用いられることから、端末に割り当てる無線リソースは、ネットワークからＭＡＣ層によって制御される。ＬＴＥにおけるインター周波数メジャメントまたはインターＲＡＴメジャメントをサポートするために、端末がその受信器の周波数をソースセルから隣接セルの別の周波数または別のＲＡＴへ再チューニングして監視を開始できるよう端末にアイドル期間を割り当てる。メジャメントをサポートするためには、端末が他の隣接セルを監視するためのアイドルギャップパターンとも呼ばれるダウンリンク（ＤＬ）／アップリンク（ＵＬ）アイドル期間が必要である。
【０００９】
端末に対する無線リソースの割り当てが連続的ではなく、端末が自身に対する無線リソースの割り当てを知るためにはスケジューラに依存しなくてはならない。このため、アイドルギャップパターンはＵＭＴＳとは異なり、リソースの割り当てが行われない区間として定義できる。このアイドルギャップパターンの割り当ては、ＵＭＴＳと同様にサービング基地局から端末に送られる。しかしながら、スケジューラが端末に対する無線リソースの割り当て機能を有するため、ＭＡＣ層によってアイドルギャップパターンの活性化または非活性化が制御される。
【００１０】
ＬＴＥ通信システムでは、ギャップ割り当てがインター周波数メジャメントまたはインターＲＡＴメジャメントに用いられる。ＬＴＥでは、より多くのインター周波数搬送波及び追加的なＲＡＴが存在するため、端末がインター周波数メジャメントまたはインターＲＡＴメジャメントを実行する頻度は、ＵＭＴＳと比べて多くなる。このため、端末がアイドルギャップパターンをサポートすることもより頻繁になる。さらには、メジャメントを実行するための個々のギャップ長に対する要件は、ａ）インター周波数メジャメント及びインターＲＡＴメジャメント、ｂ）セルサーチ手順の実行または再実行等、目的によって異なる。
【００１１】
非特許文献１には、ＬＴＥにおけるフレキシブルなギャップ割り当て技術が開示されている。この技術によれば、閉ループを用いることにより、メジャメントに必要な時間の事前推定に端末が関与することができる。このアプローチでは、端末は、ネットワークにアップリンク要求信号（例えば、ＭＡＣ制御シグナリング）を送ることでギャップを要求する。また、ダウンリンクデータのスケジューリングに基づいて、ネットワークは、ＭＡＣ制御シグナリングを介して端末にギャップ長Ｔに基づく個々のギャップ長を割り当てる。これにより、個々のギャップそれぞれについてのギャップ長は、ネットワークが端末に指定したダウンリンクデータのスケジューリングに依存する。
【非特許文献１】3GPP TSG-RAN WG2 #56, R2-063103“Measurement Gap Scheduling”QUALCOMM Europe, Riga, Latvia, 6-10 November 2006
【発明の開示】
【発明が解決しようとする課題】
【００１２】
非特許文献１に開示の技術では、ネットワークはダウンリンクデータのスケジューリングに基づいて個々のギャップ長を変更している。しかしながら、多数の隣接セルが端末によって検出された場合、より長いメジャメント期間が必要となる。従って、端末に対して必要とされるギャップが増加する。ＬＴＥ通信システムでは、ＵＭＴＳと比べて多数の搬送波周波数及び他のＲＡＴが利用可能であるため、検出された隣接セルに対して端末がインター周波数メジャメントまたはインターＲＡＴメジャメントを実行するためにギャップを使用することがより頻繁になる。従って、ＬＴＥでは、閉ループのアプローチによりシグナリング負荷が増加するという問題がある。
【００１３】
本発明はかかる点に鑑みてなされたものであり、シグナリング負荷を低減し、フレキシブルなギャップ割り当てを行う無線通信基地局装置、無線通信端末装置及びギャップ生成方法を提供することを目的とする。
【課題を解決するための手段】
【００１４】
本発明の無線通信端末装置は、ギャップパラメータ構成情報を受信する受信手段と、前記ギャップパラメータ構成情報を用いて、最大許容可能ギャップ長からギャップオフセットを減算して目標ギャップ長を生成し、新たなギャップオフセットを取得した場合、目標ギャップ長を再度生成する目標ギャップ長生成手段と、生成された前記目標ギャップ長に基づいて、メジャメントを行うメジャメント手段と、を具備する構成を採る。
【００１５】
本発明の無線通信基地局装置は、無線通信端末装置のメジャメント要件に基づいて割り当てられた最大許容可能ギャップ長及びギャップオフセットを用いて、最小ギャップ長を算出する最小ギャップ長算出手段と、前記無線通信端末装置から送信された応答信号数と所定の閾値との閾値判定結果に基づいて、ギャップオフセットを生成するギャップオフセット生成手段と、前記最小ギャップ長及び前記ギャップオフセットを送信する送信手段と、を具備する構成を採る。
【００１６】
本発明のギャップ生成方法は、ギャップパラメータ構成情報を受信する受信工程と、前記ギャップパラメータ構成情報を用いて、最大許容可能ギャップ長からギャップオフセットを減算して目標ギャップ長を生成する目標ギャップ長生成工程と、新たなギャップオフセットを取得した場合、目標ギャップ長を再度生成する目標ギャップ長再生成工程と、生成又は再生成された前記目標ギャップ長に基づいて、ギャップパターンを生成するギャップパターン生成工程と、を具備するようにした。
【発明の効果】
【００１７】
本発明によれば、シグナリング負荷を低減し、フレキシブルなギャップ割り当てを行うことができる。
【発明を実施するための最良の形態】
【００１８】
以下、本発明の実施の形態について、図面を参照して詳細に説明する。ただし、実施の形態において、同一機能を有する構成には、同一符号を付し、重複する説明は省略する。
【００１９】
（実施の形態１）
本発明の実施の形態１に係る無線通信端末装置（以下、単に「端末」という）の構成について、図１を用いて説明する。端末は、メジャメント構成情報とギャップパターン構成情報を専用のコントロールシグナリング、すなわち、メジャメント及びギャップ制御メッセージをネットワーク（例えば、無線通信基地局装置）から受信する。ここで、メジャメントとは、どのセルが端末にとって良好な受信品質を提供するかを端末が知るための測定のことである。このメジャメントにより、端末はどのセルの品質が良好であるかを知ることができ、メジャメント結果をネットワークに報告することで、ネットワークが端末に適切な品質を与えるセルを選択可能となる。
【００２０】
受信手段としてのギャップパラメータ生成部１１０は、ネットワークから送信されたメジャメント及びギャップ制御メッセージを受信し、ギャップ制御メッセージに含まれるギャップパラメータ構成情報とそのギャップ時に行うメジャメント設定を記憶する。ここで、ギャップ制御の情報としては、ギャップを生成するための一つのギャップの長さであるギャップ長、二つのギャップの間の距離であるギャップ間距離、後述するギャップオフセットが挙げられる。また、メジャメントの情報としては、ＵＭＴＳにおいてMeasurement Control messageによって通知されていたメジャメントの方法、またメジャメント結果の報告方法などの情報が挙げられる。なお、ギャップ長に関しては、以下、最大許容可能ギャップ長として定義される。
【００２１】
目標ギャップ長生成部１２０は、ギャップパラメータ生成部１１０に記憶されたギャップパラメータ構成情報とそのギャップ時に行うメジャメント設定を取得し、取得したギャップパラメータ構成情報を用いて、最大許容可能ギャップ長からギャップオフセットを減算し、最小ギャップ長とも呼ばれる個々の目標ギャップ長を計算する。
【００２２】
また、目標ギャップ長生成部１２０は、ネットワークから制御パラメータを受信すると、１）ギャップの活性化／非活性化、２）ギャップオフセット変更といった二つの手順を実行する。手順１については、利用可能な構成ギャップパターンが、ネットワークの判断によって制御パラメータを用いて活性化あるいは非活性化される。すなわち、具体的な情報例としては、ギャップパラメータ生成部１１０にて形成されたギャップの活性／非活性化のフラグと、ギャップパラメータ生成部１１０にて形成されているギャップを示すインデックス等の情報とが挙げられる。手順２については、ネットワークは、新しいギャップオフセットを端末に通知する。そのため、具体的な情報例としては、新たなギャップオフセット値となる。これにより、目標ギャップ長生成部１２０は、受信したギャップオフセットと、利用可能な最大許容可能ギャップ長に基づいて最小ギャップ長を再計算し、最小ギャップ長、最大許容可能ギャップ長、及び、ギャップ間距離等のパラメータ、メジャメント設定をギャップパターン生成部１３０に出力する。
【００２３】
ギャップパターン生成部１３０は、目標ギャップ長生成部１２０から出力された最小ギャップ長、最大許容可能ギャップ長、及び、ギャップ間距離等のパラメータを下位レイヤであるメジャメント部１５０に設定する。また、ギャップパターン生成部１３０は、ギャップパラメータに基づいてギャップパターンシーケンスをメジャメント部１５０に設定し、さらには、ギャップパラメータ生成部１１０、目標ギャップ長生成部１２０を経由したメジャメントの設定を行う。
【００２４】
メジャメント部１５０は、ギャップパターン生成部１３０によって設定された内容に基づいて、ギャップパターン設定手順を完了すると、ギャップ間隔中でのメジャメントを開始する。なお、メジャメント部１５０は、メジャメントに物理層の参照信号を必要とする。
【００２５】
また、メジャメントを行う前にインター周波数、インターＲＡＴに対してセルを検出する必要がある。そのため、メジャメント部１５０は、セルサーチ手順もメジャメント手順に加えて実行し、各メジャメントタスクの完了またはメジャメント処理の完了であるかを認識する。メジャメント処理の完了の場合にはメジャメント結果が得られる。メジャメント部１５０がジャメントタスクを完了した場合、メジャメントタスクが完了したことをギャップ継続時間タイマ１６０に通知する。一方、メジャメント部１５０がメジャメント処理を完了し、メジャメント結果が得られた場合、メジャメント結果をメジャメント報告部１５５に出力する。
【００２６】
メジャメント報告部１５５は、メジャメント部１５０から出力されたメジャメント結果に基づいて、メジャメントレポートを作成し、作成したメジャメントレポートを専用のコントロールシグナリングを介してネットワークに送信する。
【００２７】
ギャップ継続時間タイマ１６０は、メジャメント部１５０からの通知をトリガとして、ギャップ継続時間を計測し、ギャップ継続時間が最小ギャップ長を経過したか否かを判定する。ギャップ継続時間タイマ１６０は、この判定結果に基づいて、最大許容可能ギャップ長が経過する直前、または、最大許容可能ギャップ長が経過した直後に応答信号を送信するように応答信号送信部１７０に指示する。
【００２８】
応答信号送信部１７０は、ギャップ継続時間タイマ１６０からの指示に従って、応答信号をネットワークに送信する。
【００２９】
次に、本発明の実施の形態１に係る無線通信基地局装置（以下、単に「基地局」という）の構成について、図２を用いて説明する。なお、ここでは、基地局はネットワークの一例として説明する。
【００３０】
メジャメント生成部３１０は、端末がメジャメントを実行するためのギャップ取得要件を決定すると、インター周波数メジャメントまたはインターＲＡＴメジャメントのメジャメント構成に対するパラメータを初期化し、端末のメジャメント要件としてギャップパラメータシーケンス生成部３２０に出力する。
【００３１】
最小ギャップ長生成手段としてのギャップパラメータシーケンス生成部３２０は、メジャメント生成部３１０から出力された端末のメジャメント要件に基づいて、最大許容可能ギャップ長、ギャップ間距離、及び、オフセット等のギャップパラメータを各端末に割り当てる。これにより、ギャップパラメータシーケンス生成部３２０は、最大許容可能ギャップ長及びギャップオフセットパラメータに基づいて、最小ギャップ長と呼ばれる個々のギャップ長を計算する。メジャメント構成のパラメータ及びギャップパラメータはメジャメント及びギャップパターン情報生成部３３０に出力される。
【００３２】
メジャメント及びギャップパターン情報生成部３３０は、ギャップパラメータシーケンス生成部３２０から出力されたメジャメント構成のパラメータ及びギャップパラメータに基づいて、メジャメント及びギャップコントロール情報を生成し、生成したメジャメント及びギャップコントロール情報を送信部３５０に出力する。
【００３３】
ギャップオフセット生成部３４０は、ギャップパラメータシーケンス生成部３２０から出力された最大許容可能ギャップ長、最小ギャップ長、および、ギャップオフセット等のギャップパラメータを記憶する。ギャップオフセット生成部３４０は、応答信号が入力されると、割り当てられたギャップ長に基づいて、応答信号の数が所定の閾値を超えるか否かを判定する。応答信号が割り当てられたギャップ長内の閾値を超える場合、及び、閾値を下回る場合、ギャップオフセット生成部３４０は、応答信号に基づいて、ギャップオフセットを変更し、変更したギャップオフセットに基づいて、最小ギャップ長を再計算する。変更されたギャップオフセットパラメータは送信部３５０に出力される。
【００３４】
送信部３５０は、メジャメント及びギャップパターン情報生成部３３０から出力されたメジャメント及びギャップコントロール情報、及び、ギャップオフセット生成部３４０から出力されたギャップオフセットパラメータを端末に送信する。
【００３５】
図３は、図１に示した端末と図２に示した基地局との間のシグナリングフローを示す図である。基地局は、端末にギャップパターンシーケンス設定情報及びメジャメントタイプ情報をシグナリングする。このシグナリングは、図１に示したメジャメント及びギャップ制御メッセージであり、ギャップパラメータ生成部１１０によって扱われる。なお、図３において、メジャメントコントロールによってメジャメントの設定、すなわち、どのようなメジャメントをするのかを指定するように記載しているが、ここでは、主に、ギャップ生成方法について説明する。
【００３６】
ギャップパターンシーケンスの設定は、ギャップ長「GL」、ギャップ間距離及びギャップオフセット「G_Offset」等のパラメータを含む。ギャップパラメータ設定情報はギャップパラメータ生成部１１０に記憶される。これは、図３に記載の物理チャネルリコンフィギュレーション（パターンＡ）によって通知される。
【００３７】
ギャップ長及びギャップ間距離のパラメータが、端末がギャップパターンシーケンスを作成する上で十分な情報となる。ギャップオフセットパラメータの目的は、端末に計算させて、最小ギャップ長と呼ばれる異なる目標ギャップ長を用いて異なるメジャメントを実行させることである。ギャップ長及びギャップオフセットに基づく最小ギャップ長「GL_min」の計算は、目標ギャップ長生成部１２０で行われる。最小ギャップ長とは、メジャメントを行うことができるが、無線品質報告（CQI report）を送信することはできない期間を意味する。
【００３８】
目標ギャップ長生成部１２０において、ギャップパターンの決定としては、次に示す２系統の入力パラメータが存在する。すなわち、（１）ギャップパラメータ生成部１１０から出力されたギャップ長及びギャップオフセット、及び（２）制御パラメータに含まれる修正ギャップオフセットパラメータである。これらの２系統のパラメータは「GL_min」の計算に適用される。ここで、（２）制御パラメータは、図３に示した修正ギャップ長に相当する。ここで、ギャップオフセットとは、メジャメントを行うことができる期間であり、無線品質報告（CQI report）を送信してもよい期間を意味する。
【００３９】
目標ギャップ長生成部１２０がギャップパラメータ生成部１１０から出力されたパラメータを用いる場合、ギャップ長パラメータは、ギャップパラメータ生成部１１０から出力されたギャップ長からギャップオフセットパラメータを減じたものとなり、その結果として得られるギャップ長は「GL_min」の値と同値となる。これが、図３に示した修正ギャップ長の通知を受ける前のギャップ生成動作となる。また、目標ギャップ長生成部１２０が制御パラメータを用いる場合、ギャップ長パラメータは、ギャップパラメータ生成部１１０から出力されたギャップ長パラメータから制御パラメータの修正ギャップオフセットパラメータを減じた値となり、この計算結果として制御パラメータから得られるギャップオフセットパラメータは新しく得られる「GL_min」と同値になる。これが、図３に示した修正ギャップ長の通知を受けた後のギャップ生成動作となる。
【００４０】
新「GL_min」の長さは制御パラメータの修正ギャップオフセットパラメータに依存することになる。修正ギャップオフセットパラメータが増加すると、新「GL_min」は減少する。逆に、修正ギャップオフセットパラメータが減少すると、新「GL_min」は増加する。従って、「GL_min」を含む利用可能なギャップパラメータは、ギャップパターン生成部１３０に出力され、ギャップパターンシーケンスコンフィギュレーション等の処理に用いられる。
【００４１】
例えば、ギャップパラメータの単位はTTI(Time Transmission Interval。LTEにおいては1TTI=1ms)の数に基づくものとする。無線品質報告間隔が5ms、すなわち、5TTIとすると、ギャップ長＝30 TTI、ギャップオフセット＝10 TTI.といった設定が考えられる。この場合には、GL_minは次のように計算される。
GL_min＝ギャップ長−ギャップオフセット＝30−10＝20 TTI.
【００４２】
また、無線品質報告間隔が1ms、すなわち、1TTIとすると、ギャップ長＝10 TTI、ギャップオフセット＝3 TTI.の設定では、GL_minは次のように算出できる。
GL_min＝ギャップ長−ギャップオフセット＝10−3＝7 TTI.
【００４３】
下位レイヤに対するギャップパターンシーケンスの設定はギャップパターン生成部１３０によって行われ、これによりギャップを活性化させることなく最小ギャップ長「GL_min」、最大許容可能ギャップ長「GL_max」、及び、ギャップオフセット「G_Offset」に基づいて、メジャメントの準備が行われる。ここで、最大許容可能ギャップ長とは、メジャメントを行うことができるギャップ期間である。換言すると、メジャメント動作が許容される最大のギャップ長である。
【００４４】
ギャップの活性化または非活性化のコントロールは、基地局から端末への信号で行われる。この信号は、目標ギャップ長生成部１２０にて扱われる。これが、図３に示した活性化パターンＡである。これにより、物理チャネルリコンフィギュレーションにて設定したギャップパラメータ設定を用いて、ギャップ生成が開始されることになる。例えば、制御パラメータと同様にMAC signallingにより送られていることが考えられる。
【００４５】
ギャップが活性化され、割り当てられたギャップ長内のメジャメント手順が完了すると、端末は、基地局に無線品質報告、リソース要求、または、他のメッセージ等の応答信号を応答信号送信部１７０から送信する。この動作は、端末のMACにおいて実施されている。
【００４６】
基地局は、端末からの応答信号に基づいて、「G_Offset」値に対する次のギャップ割り当てが変更されるべきか否かを判断する。「G_Offset」の変更はギャップオフセット生成部３４０において行われる。無線品質報告といった応答信号はギャップオフセット生成部３４０によって受信される。G_Offset内での応答信号の受信数はギャップオフセット生成部３４０において確認を行うために用いられる。割り当てられるギャップオフセット長に関しては、定義される閾値が、ギャップオフセット生成部３４０において、応答信号の受信数の大小判定に適用される。ギャップオフセット「G_Offset」内で受信信号が閾値を超えると、ギャップオフセット生成部３４０によって現ギャップオフセット長「G_Offset」を増加させる。ギャップオフセット「G_Offset」内で受信信号が閾値を下回ると、ギャップオフセット生成部３４０におけるネットワークでの処理によって現ギャップオフセット長「G_Offset」を減少させる。
【００４７】
変更された「G_Offset」値は、送信部３５０から端末にシグナリングされ、制御パラメータを処理中(operation)の端末によって受信される。これらの動作は、基地局のMACにおいて実施される。
【００４８】
なお、上記の例ではG_Offset内での応答信号の受信数をG_Offsetの決定に用いたが、G_Offset内での最初の応答信号の位置によって決めることも可能である。
【００４９】
端末は、変更された「G_Offset」に基づいてギャップ割り当てを再計算して再設定する。再計算及び再設定は、それぞれ目標ギャップ長生成部１２０及びギャップパターン生成部１３０で行われる。これらの動作は、端末のMACにおいて実施される。
【００５０】
上述のアプローチは、本発明でのシグナリング動作を示す一つの方法である。他のシグナリングとして、ネットワークと端末との間のRRC (Radio Resource Control)またはMAC (Media Access Control)のいずれか一方だけを伴うことも考えられるし、異なる組み合わせを用いてもよい。
【００５１】
図４は、無線品質報告が閾値を上回った場合にギャップ長を変更する様子を示す図である。個々のギャップ割り当てに対して、端末の応答信号送信部１７０において、メジャメントの終了後に現在の無線品質報告を再開する。端末は、早期にメジャメント手順を終了した場合には、無線品質報告回数はより頻繁になる。
【００５２】
無線品質報告といった応答信号は、基地局のギャップオフセット生成部３４０によって受信される。応答信号の受信数はギャップオフセット生成部３４０において用いられ、確認手続が実行される。
【００５３】
割り当てられるギャップオフセット長「G_Offset」に関しては、ギャップオフセット生成部３４０において閾値が適用される。受信された無線品質報告数がギャップオフセット長「G_Offset」以内で閾値を超えると、ギャップオフセット生成部３４０は、セルメジャメントに対する最小ギャップ長とも呼ばれる現在の目標ギャップ長が端末のメジャメントに十分であると判断する。
【００５４】
ギャップオフセット生成部３４０において、次のギャップ割り当てに対するギャップオフセット「G_Offset」の長さを増大し、変更したギャップオフセット値を送信部３５０から端末にシグナリングする。
【００５５】
端末の目標ギャップ長生成部１２０は、制御パラメータからの修正された「G_Offset」値に基づいて、最小ギャップ長を再計算する。修正「G_Offset」値が増加すると、「GL_min」値が減少する。従って、処理中のギャップパターン生成部１３０は、次のギャップ割り当てを減少した「GL_min」に基づいて再構成する。
【００５６】
図５は、無線品質報告が閾値を下回った場合にギャップ長を変更する様子を示す図である。個々のギャップ割り当てについて、端末の応答信号送信部１７０は、セルメジャメントの終了後に現在の無線品質報告を再開する。端末は後でメジャメント手順を完了するため、無線品質報告回数は頻繁でない。
【００５７】
無線品質報告といった応答信号は、基地局のギャップオフセット生成部３４０によって受信される。応答信号の受信数はギャップオフセット生成部３４０によって用いられ、確認手続が実行される。割り当てられるギャップオフセット長「G_Offset」に関しては、ギャップオフセット生成部３４０において閾値が適用される。
【００５８】
受信された無線品質報告数がギャップオフセット長「G_Offset」以内で閾値を下回ると、基地局は、メジャメントに対する最小ギャップ長が、端末のメジャメントに十分ではないと判断する。ギャップオフセット生成部３４０は、次のギャップ割り当てに対するギャップオフセット「G_Offset」の長さを減少させ、変更したギャップオフセット値を送信部３５０から端末にシグナリングする。
【００５９】
端末の目標ギャップ長生成部１２０は、制御パラメータの修正された「G_Offset」値に基づいて最小ギャップ長を再計算する。修正「G_Offset」値が減少すると、「GL_min」値が増加する。従って、処理中の端末は、次のギャップ割り当てを減少した「GL_min」に基づいて再構成する。
【００６０】
上記の方法では、ネットワークは、現「G_Offset」の修正の有無を判定するために、無線品質報告のような応答信号の数に基づいている。この方法において応答信号が失われた場合には、端末は、割り当てられた「G_Offset」以内の応答信号数が基地局側と異なる設定となってしまう。
【００６１】
無線品質報告といった応答信号は、一般的には周期的な報告であり、その間隔は調整可能である。そこで、この問題を解決するためには、メジャメント及びギャップパターン情報生成部３３０が割り当てられた「G_Offset」長に基づいて、受信信号の間隔を構成してもよい。
【００６２】
この場合、基地局は、最大許容応答信号は、本「G_Offset」長以内に受信する可能性を認識していることになる。受信が成功した２つの応答信号の間の応答信号が消失した場合、基地局は、それを検出することが可能となる。受信が成功した２つの連続した応答信号の間にいくつ受信できなかった応答信号があるかを考慮に入れ、応答信号数を増分する。従って、応答信号が消失した場合であっても、ギャップオフセット生成部３４０によって扱われる。
【００６３】
次に、閾値を用いてギャップオフセット修正の有無を判定する方法について、上記以外の方法について説明する。具体的には、次のギャップ割り当てのためにギャップオフセット長を修正する必要があるか否かを端末から基地局に通知する方法について説明する。
【００６４】
端末の応答信号送信部１７０は、メジャメントが完了すると、応答信号を基地局に送信する。この応答信号を送信する際、応答信号送信部１７０は２つのシナリオを判定する。すなわち、送信される応答信号が、（１）所望のギャップ長（最小ギャップ長）が経過するよりもかなり前に送信される、（２）最大許容可能ギャップ長が経過する前のギャップオフセットの終了時点で送信されるか、を判定する。
【００６５】
シナリオ（１）の場合、端末は、現所望ギャップ長が本メジャメント処理に適切か、それ以上かを把握する。それ以上の場合には、端末は、基地局に個別制御チャネルを介して、「G_Offset」を増加するように通知する。
【００６６】
シナリオ（２）の場合、端末は、現所望ギャップ長が本メジャメント処理に十分ではないと把握する。端末は、基地局に個別制御チャネルを介して、「G_Offset」を減少するように通知する。
【００６７】
これらのシナリオに基づくと、送信部３６０において、無線品質報告などの個別制御シグナリングには「G_offset」状態パラメータ（すなわち、増加または減少）を含めることができる。「G_offset」状態パラメータとしては、ギャップオフセット長の増加または減少を単位時間によって表してもよい。単位時間には、例えば、無線品質報告間隔や、ネットワークによって構成されるTTIといったものがある。
【００６８】
例えば、ギャップパラメータの単位をTTI数によって表し、受信品質報告間隔が5ms、すなわち、5TTIの場合には、次のようになる。
ギャップオフセット = 10 TTI, “G_Offset” status = Increase (i.e. +5 TTI).
修正ギャップオフセット = ギャップオフセット + “G_Offset” status = 10 + 5 = 15 TTI.
ギャップオフセット = 10 TTI, “G_Offset” status = Decrease (i.e. -5 TTI).
修正ギャップオフセット = Gap offset + “G_Offset” status = 10 - 5 = 5 TTI.
【００６９】
応答信号を受信し、「G_Offset」状態パラメータが応答信号に含まれている場合、ギャップオフセット生成部３４０は、「G_Offset」状態パラメータに基づいて、次のギャップ割り当てについての「G_Offset」長を修正する。一方、「G_Offset」状態パラメータが応答信号に含まれていない場合、ギャップオフセット生成部３４０は、次ギャップ割り当てについての「G_Offset」長を修正しない。修正されたギャップオフセット長は送信部３５０から端末に送信される。
【００７０】
（実施の形態２）
本発明の実施の形態２に係る端末の構成について、図６を用いて説明する。図６が図１と異なる点は、目標ギャップ長生成部１２０がギャップオフセットの修正値を入力としない点と、ギャップ継続時間タイマ１６０をギャップ継続時間タイマ２２０に変更した点である。
【００７１】
ギャップ継続時間タイマ２２０は、メジャメント部１５０からの通知をトリガとして、ギャップ継続時間を計測し、ギャップ継続時間が最小ギャップ長を経過したか否かを判定する。ギャップ継続時間が最小ギャップ長に該当する時間を経過していない場合、または、メジャメント処理が完了する前に最小ギャップ長に該当する時間を経過し、応答信号送信部１７０からの出力信号の量が所定の閾値を上回るあるいは下回る場合、ギャップ継続時間タイマ２２０は、変更されたギャップオフセット値等のパラメータを目標ギャップ長生成部１２０に出力する。
【００７２】
図７は、図６に示した端末における受信応答信号の検出に用いる閾値制御方法を説明する図である。ここでは、ギャップ長（最小ギャップ長、「GL_min」という）を修正し、ギャップオフセット長（「G_Offset」）を閾値の検出によって修正する。
【００７３】
ステップ（以下、「ＳＴ」と省略する）５１０において、現ギャップオフセット長に関連し、事前に定義された第１の閾値及び第２の閾値を受信すると、ＳＴ５２０において確認手続を実行する。すなわち、端末は、受信した応答信号数が第１の閾値を超えるか否かを判定する。受信した応答信号数が第１の閾値を超える場合、ＳＴ５３０に移行し、受信した応答信号数が第１の閾値を超えない場合、ＳＴ５４０に移行する。
【００７４】
ＳＴ５３０では、G_Offset値を増加させて、増加させたG_Offset値に基づいて第１の閾値を修正する。
【００７５】
ＳＴ５４０では、受信した応答信号数が第２の閾値レベルを下回るか否かを判定する。受信した応答信号数が第２の閾値を下回る場合、ＳＴ５５０に移行し、受信した応答信号数が第２の閾値を下回らない場合、ＳＴ５７０に移行する。
【００７６】
ＳＴ５５０では、G_Offset値を減少させ、減少させたG_Offset値に基づいて第２の閾値を修正する。
【００７７】
ＳＴ５６０では、修正されたG_Offset値に基づいて新しいGL_minを計算する。また、ＳＴ５７０では、現閾値レベル、G_Offset及びGL_minを維持する。
【００７８】
なお、送信される無線品質報告がある閾値を上回るまたは下回る場合、端末は、ギャップ継続時間タイマ２２０においてギャップオフセット長を自動的に変更する。
【００７９】
また、更新されたギャップオフセット（すなわち、自律ギャップオフセット）と、更新されたギャップオフセットに基づいて修正された修正閾値は、端末から基地局に送信される。更新されたギャップオフセットと更新された閾値情報は個別制御シグナリングを介してシグナリングされる。このようなシグナリングとしては、無線品質報告がある。
【００８０】
また、ＳＴ５１０における閾値情報は、目標ギャップ長生成部１２０によって受信される。従って、ＳＴ５２０及びＳＴ５４０における確認手続、ＳＴ５３０及びＳＴ５５０における「G_Offset」値の修正、ＳＴ５６０における新しいGL_minの計算、及び、現閾値レベル、G_Offset並びにGL_min値の維持は、目標ギャップ長生成部１２０によって行われる。
【００８１】
なお、本実施の形態の基地局の動作は実施の形態１と同様に図２で示される。ただし、以下の点が異なる。すなわち、基地局が応答信号を受信すると、ギャップオフセット生成部３４０は、受信した応答信号と所定の閾値レベルを確認し、応答信号が閾値レベルを満たした場合には、変更されたギャップオフセットを決定し、最小ギャップ長パラメータを更新する。この基地局の動作と端末での自動的な更新により、基地局のギャップオフセット生成部３４０は、変更したギャップオフセットパラメータを端末に送信する必要がなくなる。基地局は、ギャップオフセット生成部３４０において変更されたギャップオフセット及び更新された最小ギャップ長パラメータを記憶するのみとなる。
【００８２】
（実施の形態３）
本発明の実施の形態３に係る基地局の構成について、図８を用いて説明する。ただし、図８が図２と異なる点は、最小・最大許容可能ギャップ長決定部６１０を追加した点である。
【００８３】
最小・最大許容可能ギャップ長決定部６１０は、ギャップパラメータシーケンス生成部３２０から出力されたメジャメント設定および最大許容可能ギャップ長、最小ギャップ長、ギャップオフセット、及び、ギャップ間距離等のギャップパラメータを用いて、１）インター周波数メジャメント及びインターＲＡＴメジャメントと、２）セルサーチ及びメジャメントタスクといった二つのシナリオを実行する。
【００８４】
シナリオ１では、端末には基地局によってインター周波数メジャメント及びインターＲＡＴメジャメント設定情報が割り当てられる。最小・最大許容可能ギャップ長決定部６１０では、端末に適合するインターＲＡＴメジャメントに必要なギャップを最大許容可能ギャップ長に割り当て、且つ、インター周波数メジャメントに対して必要なギャップを最小ギャップ長に割り当てる。
【００８５】
これは、インターＲＡＴメジャメントの方がインター周波数メジャメントに比べて一般的に長い時間を必要とするためである。これにより、一つのギャップパターンの設定でインター周波数メジャメントとインターＲＡＴメジャメントの両方がサポートすることができる。
【００８６】
一方、シナリオ２では、基地局は、端末に一つのメジャメント設定情報（例えば、インター周波数またはインターＲＡＴメジャメント）を割り当てる。この場合、最小・最大許容可能ギャップ長決定部６１０は、セルサーチ手順に対して必要なギャップを最大許容可能ギャップ長に割り当て、且つ、メジャメント手順に対して必要なギャップを最小ギャップ長に割り当てる。
【００８７】
これは、セルサーチ手順がメジャメント手順より長いギャップを必要とする場合でも、一つのギャップパターンで両方を動作させるためである。セルサーチ手順がメジャメント手順より短いギャップで終了する場合には、逆に、セルサーチ手順用のギャップが最小ギャップ長となる。最小及び最大許容可能ギャップ長の使用法（メジャメント設定情報）が割り当てられると、最小・最大許容可能ギャップ長決定部６１０は、関連するギャップコントロール及びメジャメント設定情報をメジャメント及びギャップパターン情報生成部３３０に出力する。
【００８８】
端末は、ギャップコントロール及びメジャメント設定情報を受信すると、メジャメント設定情報の利用可能性に基づいて、最小及び最大許容可能ギャップ長の使用目的を判断する。一つのタイプのメジャメント構成情報（例えば、インター周波数メジャメントまたはインターＲＡＴメジャメント）が端末に利用可能である場合、端末は、セルサーチ用のタスクが最大許容可能ギャップ長を採用し、メジャメント用タスクが最小ギャップ長を採用するようギャップパターン生成部１３０が下位レイヤを設定する。また、インター周波数メジャメント及びインターＲＡＴメジャメントの両方が端末に利用可能である場合、端末は、インターＲＡＴメジャメントが最大許容可能ギャップ長を採用し、インター周波数メジャメントが最小ギャップ長を採用するようギャップパターン生成部１３０が下位レイヤを設定する。
【００８９】
このような設定により、一つのギャップパターンで異なるギャップ長を必要とする複数の動作に対応することができる。すなわち、最大許容可能ギャップ長は、長いギャップが必要な動作に合わせているが、短いギャップで早く処理が終わった場合には、早く通信を開始できるため、通信速度の劣化を抑えることができる。
【００９０】
（実施の形態４）
本発明の実施の形態４に係る基地局の構成について、図９を用いて説明する。図９が図２と異なる点は、リソーススケジューラ７１０を追加した点である。
【００９１】
リソーススケジューラ７１０は、メジャメント及びギャップパターン情報生成部３３０からメジャメントおよびギャップコントロールの情報が出力されると、ギャップオフセット情報が示す長さのガード時間リソース情報とも呼ばれる無線リソースをスケジューリングする。ここで、ガード時間リソースとは、端末に固定的に割り当てられているリソースであるが、端末がギャップを用いている間はその端末が使用しないために他の端末に割り当てられるリソースのことである。すなわち、割り当てられたリソースとギャップとが重複するリソースのことである。なお、本発明では、端末が確実に使用しない期間は最大許容可能ギャップ長のなかの最小ギャップ長となる。
【００９２】
ガード時間リソースは、端末のG_Offsetの変更により変更される。そのため、変更されたギャップオフセットパラメータを使用する必要があるため、ギャップオフセット生成部３４０から変更されたパラメータがリソーススケジューラ７１０に出力されると、リソーススケジューラ７１０は、特定の端末にある程度の期間ガード時間リソースを固定的に割り当てている場合に、変更されたギャップオフセット情報に対するガード時間リソース情報を再スケジューリングする。ガード時間リソース情報は送信部３５０を介して端末にシグナリングされる。
【００９３】
（実施の形態５）
図１０は、本発明の実施の形態５に係る端末と基地局との間のシグナリングフローを示す図である。ここでは、「G_Offset」を、サービングセルのトラフィックにより変更することを考える。まず、トラフィック負荷情報が、サービング基地局から端末に報知情報または個別シグナリングにより通知されるものとする。このとき、基地局は、高いトラフィック負荷には小さい「G_Offset」値を端末に割り当て、低いトラフィック負荷には大きい「G_Offset」値を端末に割り当てることが考えられる。これにより、高いトラフィック負荷時にはガード時間リソースを多くすることができる。
【００９４】
図１０では、サービング基地局がシステム情報にトラフィック負荷インジケータを含み、放送送信により端末にシグナリングする例を示す。トラフィック負荷情報は、端末のギャップパラメータ生成部１１０で受信され、記憶される。
【００９５】
同様にして、いくつかの「G_Offset」値は、専用のコントロールシグナリングを介して端末にシグナリングされる。このシグナリングは、端末のギャップパラメータ生成部１１０によって受信される。
【００９６】
端末は目標ギャップ長生成部１２０において、「G_Offset」値の中からトラフィック負荷インジケータに基づいて適切な「G_Offset」値を決定し、ギャップパターン生成部１３０において、ギャップパターンシーケンスを構成する。
【００９７】
トラフィック負荷インジケータが変化すると、端末の目標ギャップ長生成部１２０は「G_Offset」値を自動的に変更する。
【００９８】
図１１に、端末におけるトラフィック負荷インジケータの処理手順を示す。具体的には、サービングセルのトラフィック負荷インジケータに基づく端末の適切なギャップオフセット「G_Offset」値の決定方法を示す。
【００９９】
ＳＴ９１０では、端末の目標ギャップ生成部１２０がトラフィック負荷インジケータを受信し、ＳＴ９２０では、確認手順を行い、「G_Offset」と呼ばれる適切なギャップオフセット値を選択する。また、基地局によって供給されるトラフィック負荷インジケータに基づいて、端末がサービングセルのトラフィック負荷を判断する。トラフィック負荷が高いと判断されると、ＳＴ９３０に移行し、トラフィック負荷が高くないと判断されると、ＳＴ９４０に移行する。
【０１００】
ＳＴ９３０では、小さい「G_Offset」を選択し、ＳＴ９４０では、大きい「G_Offset」値を選択する。
【０１０１】
なお、ＳＴ９２０、ＳＴ９３０及びＳＴ９４０における「G_Offset」値の選択は、目標ギャップ長生成部１２０で行われる。
【０１０２】
従って、端末によって選択される「G_Offset」値は、ＳＴ９５０においてギャップパターン生成部１３０によって、メジャメントを実行するためのギャップパターンシーケンスが構成するのに用いられる。
【０１０３】
（実施の形態６）
本発明の実施の形態６に係る端末の構成について、図１２を用いて説明する。図１２が図１と異なる点は、移動速度測定部２３０を追加し、応答信号送信部１７０を応答信号送信部２４０に変更した点である。
【０１０４】
移動速度測定部２３０は、端末の移動速度を測定して応答信号送信部２４０に出力する。移動速度測定部２３０は、例えば、端末の移動速度を低速度、中速度、高速度のように判定する。端末の移動速度の判定基準としては、ドップラー周波数が考えられる。例えば、ドップラー周波数が高いほど高速度、逆に、低いほど低速度と考えられる。また、端末が通信中の場合にはハンドオーバー回数、端末がアイドル状態の場合にはセル選択回数を移動速度の判定基準として考えることができる。例えば、単位時間当たりのハンドオーバー回数又はセル選択回数が多いほど高速度、逆に、単位時間当たりのハンドオーバー回数又はセル選択回数が少ないほど低速度と考えられる。
【０１０５】
応答信号送信部２４０は、ギャップ継続時間タイマ１６０からの指示と、移動速度測定部２３０から出力された端末の移動速度とに基づいて、応答信号をネットワークに送信する。ここで、応答信号送信部２４０は、端末が高速移動している場合には応答信号の送信頻度を減らし、逆に、端末が低速移動している場合には応答信号の送信頻度を増やす。
【０１０６】
基地局は、端末から送信された応答信号の受信回数に基づいて「G_Offset」を制御するため、例えば、高速移動する端末に対しては「G_Offset」内での応答信号の受信回数が閾値を下回るので「G_Offset」を減少させることになる。従って、高速移動する端末に対しては長いギャップ長が設定され、端末の移動速度に合わせてメジャメント時間を短縮することができる。
【０１０７】
ここで、具体例を挙げて説明する。例えば、端末がセル半径１ｋｍ（直径２ｋｍ）のセルを３５０ｋｍ／ｈで高速移動する場合、セルを通過する時間は最大約１０秒である。このとき、ギャップとギャップの間の間隔を１２０ミリ秒、メジャメントに必要な時間を４８０ミリ秒とすると、「G_Offset」適用後のギャップ長が６ミリ秒になる長い「G_Offset」を適用した場合には、ギャップを用いたメジャメントを行うには８０個のギャップが必要になる。この場合、ギャップを使ったメジャメントに必要な時間は約１０秒であるため、高速移動端末がメジャメントを終了するころには次のセルに移動してしまう可能性が高い。
【０１０８】
一方、「G_Offset」適用後のギャップ長が１２ミリ秒になる短い「G_Offset」を適用した場合には、メジャメントには４０個のギャップが必要になる。この場合、ギャップを使ったメジャメントに必要な時間は約５秒であるため、高速移動端末が次のセルに移動する前にメジャメントを完了することが可能となる。
【０１０９】
このように、高速移動端末に対しては短い「G_Offset」を適用することにより、端末が別のセルへ移動する前にメジャメントを完了することができる。
【０１１０】
図１３は、端末が低速移動している場合にギャップ長を変更する様子を示す図である。端末が「G_Offset」内での無線品質報告回数を増やすことにより、基地局では無線品質報告回数が閾値を上回ることを検出し、長い「G_Offset」を適用する。
【０１１１】
図１４は、端末が高速移動している場合にギャップ長を変更する様子を示す図である。端末が「G_Offset」内での無線品質報告回数を減らすことにより、基地局では無線品質報告回数が閾値を下回ることを検出し、短い「G_Offset」を適用する。
【０１１２】
さらに、本実施の形態では高速移動端末に対してはメジャメント対象となるセルを制限することにより、メジャメント時間をより短縮することが可能である。メジャメント対象となるセル数の制限方法としては２種類の方法が考えられる。一つは、メジャメント部１５０において、メジャメントする複数の周波数候補に対してメジャメントする優先順位をつけて、「優先順位の高いものから何番目の周波数候補までをメジャメントする」と設定することにより、メジャメントする周波数のセル数を制限する方法である。
【０１１３】
図１５は、メジャメント対象となる周波数のリストを示す表であり、各周波数に対応してメジャメントする優先順位を表す。例えば、図１５のリストにおいて、低速端末はＦ１〜Ｆ５の全ての周波数に対してメジャメントし、高速端末は優先順位１、２までの周波数Ｆ２、Ｆ５のみをメジャメントすることになる。なお、通常、端末が通信中の場合には、端末は優先順位の情報を持っていないので、端末がアイドル状態の時に保持していた優先順位情報を端末が通信中になった後においても引き続き保持しておくか、または、ネットワークから報知される優先順位情報を受信することにより、端末は優先順位情報を取得する。
【０１１４】
メジャメント対象となるセル数の制限方法のうち、もう一つは、メジャメント部１５０において、参照信号の受信品質をメジャメントする前のセルサーチの段階で測定するセルの数を制限する方法である。まず、セルサーチの処理ステップにおける最初のタイミング同期処理では、端末において、既知のパターンである同期チャネルのプライマリＳＣＨ（Ｐ−ＳＣＨ）のレプリカと受信信号との相関演算を行う。端末は、この相関演算結果の相関ピーク値が高いタイミングが、端末にとって受信品質が良い基地局からのＰ−ＳＣＨの送信タイミングであると判断する。従って、相関ピークを示すタイミングの中から「相関ピーク値の高い上位何番目までのタイミングを選択する」と設定することにより、メジャメントするセルの数を制限することができる。または、タイミングを選択するための相関値の検出閾値を上げることにより、選択するセルのタイミングの数を制限し、セルの数を制限することができる。例えば、Ｐ―ＳＣＨとして既知の３パターン（Ｐ―ＳＣＨ１、Ｐ−ＳＣＨ２、Ｐ−ＳＣＨ３）が存在する場合、受信信号と３パターンのＰ−ＳＣＨとの相関演算を行い、相関値を比較する。図１６に示すように、通常、タイミングを選択する際に用いる閾値を、高速移動端末の場合には上げることにより、選択するセルのタイミングの数を６個から３個に制限することができる。
【０１１５】
（実施の形態７）
本発明の実施の形態７では、イベントが発生する場合について説明する。ここで、イベントの発生について簡単に説明する。まず、端末は、常に受信品質の良いセルと接続するためにメジャメントを行って、隣接セルからの信号の受信品質を測定している。このメジャメントの結果によって、例えば、現在通信中のセルからの受信品質がある閾値より低下し、通信中のセルよりも受信品質の良いセルを検出すると、端末はイベントが発生したと判断する。このイベントは、端末にとってハンドオーバーに必要となる隣接セルの受信品質、または、現在接続中のセルの受信品質がある特定の条件を満たした場合に発生する。イベント発生後は端末が基地局に対して、メジャメント結果を報告する。また、端末によるメジャメント結果の報告は、イベント発生後に定期的に実行される。また、イベント発生前は、まだ受信品質の良い隣接セルを検出できていないため、なるべく早く受信品質の良いセルを検出する必要がある。
【０１１６】
本発明の実施の形態７に係る端末の構成は、実施の形態１の図１と同様であるので、図１を援用する。本発明の実施の形態７に係る基地局の構成について、図１７を用いて説明する。ただし、図１７が図２と異なる点は、ギャップオフセット生成部３４０をギャップオフセット生成部４４０に変更した点である。端末でメジャメントが実行された結果、イベントが発生した場合、端末からメジャメントレポートが送信され、基地局のギャップオフセット生成部４４０に入力される。
【０１１７】
ギャップオフセット生成部４４０は、メジャメントレポートが入力されると、端末においてイベントが発生したと判断できるので、長い「G_Offset」に変更し、変更したギャップオフセットに基づいて、最小ギャップ長を再計算する。また、メジャメントレポートが入力されない場合、ギャップオフセット生成部４４０は、まだ端末においてイベントが発生していないと判断できるので、短い「G_Offset」に変更し、変更したギャップオフセットに基づいて、最小ギャップ長を再計算する。変更されたギャップオフセットパラメータは送信部３５０に出力される。なお、メジャメントレポートはイベント発生後もある一定期間の間、端末から定期的に送信されるものとする。
【０１１８】
図１８は、図１に示した端末と図１７に示した基地局との間のシグナリングフロー図である。図１８が図３と異なる点は、図３が無線品質報告の回数を変更することにより、基地局にギャップ長の変更を通知したのに対して、図１８ではメジャメントレポートの有無によって基地局にギャップ長の変更を通知している点である。
【０１１９】
イベント発生後にギャップ長だけを短くした場合、あらゆる周波数及びセルをメジャメントすると遅延が発生する。通常、イベント発生後には、メジャメントレポートを定期的に送信する。これは、イベントが発生したセルの最新の受信品質情報を基地局に通知する必要があるためである。従って、ギャップ長のみを短くすることにより遅延が発生すると、最新の受信品質情報を基地局に通知することができない。
【０１２０】
そこで、本実施の形態では、単にイベント発生後にギャップ長を短くするだけでなく、イベント発生前と比べてメジャメント対象となるセルの数を制限することにより、メジャメント時間の短縮を図る。これにより、メジャメント遅延の影響を軽減しつつ、スループットの向上を図ることができる。なお、メジャメント対象となるセルの数を制限する方法としては実施の形態６で説明した２つの方法が利用可能である。
【０１２１】
このように本実施の形態によれば、イベント発生前は短い「G_Offset」を適用（または「G_Offset」を適用しない）し、イベント発生後は長い「G_Offset」を適用することにより、イベント発生前は受信品質の良い隣接セルを早く検出することができ、イベント発生後はスループットを向上させることができる。
【０１２２】
上記各実施の形態では、本発明をハードウェアで構成する場合を例にとって説明したが、本発明はソフトウェアで実現することも可能である。
【０１２３】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１２４】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１２５】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１２６】
また、上記実施の形態における基地局はNode B、移動局はUEと表されることがある。
【産業上の利用可能性】
【０１２７】
本発明にかかる無線通信基地局装置、無線通信端末装置及びギャップ生成方法は、シグナリング負荷を低減し、フレキシブルなギャップ割り当てを行うことができ、ＬＴＥ等の移動通信システム等に適用できる。
【図面の簡単な説明】
【０１２８】
【図１】本発明の実施の形態１に係る端末の構成を示すブロック図
【図２】本発明の実施の形態１に係る基地局の構成を示すブロック図
【図３】図１に示した端末と図２に示した基地局との間のシグナリングフローを示す図
【図４】無線品質報告が閾値を上回った場合にギャップ長を変更する様子を示す図
【図５】無線品質報告が閾値を未満であった場合にギャップ長を変更する様子を示す図
【図６】本発明の実施の形態２に係る端末の構成を示すブロック図
【図７】図６に示した端末における受信応答信号の検出に用いる閾値制御方法を説明する図
【図８】本発明の実施の形態３に係る基地局の構成を示すブロック図
【図９】本発明の実施の形態４に係る基地局の構成を示すブロック図
【図１０】本発明の実施の形態５に係る端末と基地局との間のシグナリングフローを示す図
【図１１】端末におけるトラフィック負荷インジケータの処理手順を示す図
【図１２】本発明の実施の形態６に係る端末の構成を示すブロック図
【図１３】端末が低速移動している場合にギャップ長を変更する様子を示す図
【図１４】端末が高速移動している場合にギャップ長を変更する様子を示す図
【図１５】メジャメント対象となる周波数のリストを示す表
【図１６】セルサーチのタイミング同期処理における相関演算結果から相関ピークを選択する様子を示す図
【図１７】本発明の実施の形態７に係る基地局の構成を示すブロック図
【図１８】図１に示した端末と図１７に示した基地局との間のシグナリングフローを示す図
【符号の説明】
【０１２９】
１１０  ギャップパラメータ生成部
１２０  目標ギャップ長生成部
１３０  ギャップパターン生成部
１５０  メジャメント部
１５５  メジャメント報告部
１６０、２２０  ギャップ継続時間タイマ
１７０、２４０  応答信号送信部
３１０  メジャメント生成部
３２０  ギャップパラメータシーケンス生成部
３３０  メジャメント及びギャップパターン情報生成部
３４０、４４０  ギャップオフセット生成部
３５０  送信部
６１０  最小・最大許容可能ギャップ長決定部
７１０  リソーススケジューラ
２３０  移動速度測定部
【図１】
0005052377.tif 000002
【図２】
0005052377.tif 000003
【図３】
0005052377.tif 000004
【図４】
0005052377.tif 000005
【図５】
0005052377.tif 000006
【図６】
0005052377.tif 000007
【図７】
0005052377.tif 000008
【図８】
0005052377.tif 000009
【図９】
0005052377.tif 000010
【図１０】
0005052377.tif 000011
【図１１】
0005052377.tif 000012
【図１２】
0005052377.tif 000013
【図１３】
0005052377.tif 000014
【図１４】
0005052377.tif 000015
【図１５】
0005052377.tif 000016
【図１６】
0005052377.tif 000017
【図１７】
0005052377.tif 000018
【図１８】
0005052377.tif 000019